(57)【要約】【課題】基礎体温の測定についての利用者の手間負担をできる限り軽減し、基礎体温の測定を無理なく継続することができる健康管理支援システムを提供する。【解決手段】基礎体温管理サーバ３により女性の健康管理を支援する健康管理支援システムにおいて、クライアント端末１から送信された電子メールの送信元アドレスが電子メールアドレスデータベース５に登録された電子メールアドレスである場合には、電子メールの件名に記載された基礎体温情報を基礎体温情報データベース７に登録を行なう。また、基礎体温情報データベースに登録された基礎体温情報に基づいて、月経期、卵胞期、排卵期及び黄体期の開始タイミングを算出し、各開始タイミングには開始タイミング通知手段１２によって通知を行なう。【選択図】図１
2008276670.tif 000002
【特許請求の範囲】
【請求項１】
クライアント端末と、基礎体温管理サーバにより女性の健康管理を支援する健康管理支援システムにおいて、
前記クライアント端末は、基礎体温情報が記載された電子メールを前記基礎体温管理サーバに送信する基礎体温情報送信手段を備え、
前記基礎体温管理サーバは、ユーザの電子メールアドレスを登録する電子メールアドレス登録手段と、
前記基礎体温情報送信手段により送信された電子メールを受信すると共に、同電子メールの送信元の電子メールアドレスが前記電子メールアドレス登録手段に登録されているユーザの電子メールアドレスと一致した場合に電子メールに記載された基礎体温情報を登録する基礎体温情報登録手段と、
前記基礎体温情報登録手段に登録された基礎体温情報に基づいて、月経期、卵胞期、排卵期若しくは黄体期の少なくとも１つの開始タイミングを算出し、算出された開始タイミングに前記電子メールアドレス登録手段に登録されたユーザの電子メールアドレス宛に電子メールを送信する開始タイミング通知手段を備える
ことを特徴とする健康管理支援システム。
【請求項２】
前記基礎体温管理サーバは、前記基礎体温情報登録手段に登録された基礎体温情報に基づいて基礎体温グラフを表示する基礎体温グラフ表示手段を備える
ことを特徴とする請求項１に記載の健康管理支援システム。
【請求項３】
前記クライアント端末は、文書若しくは画像若しくは文書及び画像を日記情報とし、該日記情報が記載若しくは添付若しくは記載及び添付された電子メールを前記基礎体温管理サーバに送信する日記情報送信手段を備え、
前記基礎体温管理サーバは、前記日記情報送信手段により送信された電子メールを受信すると共に、同電子メールの送信元の電子メールアドレスが前記電子メールアドレス登録手段に登録されているユーザの電子メールアドレスと一致した場合に電子メールに記載若しくは添付若しくは記載及び添付された日記情報を登録する日記情報登録手段と、
該日記情報登録手段に登録された日記情報に基づいて日記を表示する日記表示手段を備える
ことを特徴とする請求項１に記載の健康管理支援システム。
【請求項４】
基礎体温管理サーバにより女性の健康管理を支援する健康管理支援システムにおいて、
ユーザの電子メールアドレスを登録する電子メールアドレス登録手段と、
クライアント端末により送信される基礎体温情報が記載された電子メールを受信すると共に、同電子メールの送信元の電子メールアドレスが前記電子メールアドレス登録手段に登録されているユーザの電子メールアドレスと一致した場合に電子メールに記載された基礎体温情報を登録する基礎体温情報登録手段と、
該基礎体温情報登録手段に登録された基礎体温情報に基づいて、月経期、卵胞期、排卵期若しくは黄体期の少なくとも１つの開始タイミングを算出し、算出された開始タイミングに前記電子メールアドレス登録手段に登録されたユーザの電子メールアドレス宛に電子メールを送信する開始タイミング通知手段を備える
ことを特徴とする健康管理支援システム。
【請求項５】
前記基礎体温情報登録手段に登録された基礎体温情報に基づいて基礎体温グラフを表示する基礎体温グラフ表示手段を備える
ことを特徴とする請求項４に記載の健康管理支援システム。
【請求項６】
文書若しくは画像若しくは文書及び画像を日記情報とし、クライアント端末により送信される前記日記情報が記載若しくは添付若しくは記載及び添付された電子メールを受信すると共に、同電子メールの送信元の電子メールアドレスが前記電子メールアドレス登録手段に登録されているユーザの電子メールアドレスと一致した場合に電子メールに記載若しくは添付若しくは記載及び添付された日記情報を登録する日記情報登録手段と、
該日記情報登録手段に登録された日記情報に基づいて日記を表示する日記表示手段を備える
ことを特徴とする請求項４に記載の健康管理支援システム。
【発明の詳細な説明】
【技術分野】
【０００１】
本発明は健康管理支援システムに関する。詳しくは、基礎体温管理サーバにより女性の健康管理を支援する健康管理支援システムに係るものである。
【背景技術】
【０００２】
一般的に健康な女性の基礎代謝時の体温である基礎体温は、生理周期の前半は低温が続き、排卵を機に高温になるといった具合に低温期と高温期の一定のリズムがあり、その周期は個人差があるものの概ね２８〜３０日である。そして、女性の体はホルモンのバランスにより１周期を、月経期、卵胞期、排卵期及び黄体期の４つの時期に分けることができる。なお、それぞれの時期について以下に簡単に説明を行なう。
【０００３】
［月経期］
月経期の前半は体が重くて憂鬱になるものの、後半は心身ともにスッキリとして調子が上向きになると言える。またこの時期は肌のくすみや顔色が気になるといった具合に肌がとても敏感な時期でもある。
［卵胞期］
卵胞ホルモンの分泌が増加し、心も体も軽くなる時期であり、大切な人との約束はこの時期がオススメであると考えられている時期であり、肌の調子も良く、脂肪の燃焼率が高まるためにダイエットを始めるには最適な時期でもある。
［排卵期］
心身ともに落ち着いている時期であると考えられており、腰をすえて１つのことに取り組んだり、自分自身を見つめなおしたりするのに最適な時期であると考えられている時期でもある。
［黄体期］
心が不安定な状態になりやすい時期であり、ゆっくり入浴するといった様に、意識的にリラックスを心掛けることが大切であると考えられている時期でもある。更に、吹き出物が出やすく、シミにもなりやすい時期のために栄養補給が重要になってくる時期でもある。
【０００４】
ここで、妊娠について考えてみると、排卵日前後の排卵期が最も妊娠しやすい時期と言え、また、性交後、女性の体内で精子が生きていることを考慮すると、卵胞期も比較的妊娠し易い時期であると言える。
【０００５】
また、肌の手入れについて考えてみると、生理が終わり、排卵後高温期に入るまでの時期（黄体期から月経期までの時期）の肌はしっとりと艶やかで透明感、新陳代謝が活発で、新しい細胞が作られている時期であり、特に排卵期は肌が最も安定して美しい状態であると言える。従って、新しい化粧品を試しても良い時期であると言え、更には、顔ぞりを行っても良い時期である。
これに対して、高温期から生理前、生理中の時期（黄体期から月経期までの時期）は、新陳代謝が活発ではないため、肌が脂っぽく、にきびや吹き出物が出やすく、紫外線にも反応しやすいためにシミやそばかすが出来やすく、更に生理中は肌がくすんだり、顔がむくんだり、くまが目立ちやすくなる。従って、基礎化粧品は変えずに肌を休ませ、毛穴ケアと紫外線対策が重要となる時期である。
【０００６】
また、ダイエットについて考えてみると、生理が終わり高温期に入るまでの時期（卵胞期から排卵期までの時期）は、生理前から増え続けた体重が元に戻り、気分も体調も良くなると共に、新陳代謝が活発な時期であるため運動や食事に注意すると効果的に痩せることができダイエットには最適な時期である。
これに対して高温期（黄体期から月経期までの時期）に入ると新陳代謝が活発でなくなるために体調が不安定でむくみやすく、体重が増加しがちになり、ダイエットをしてもあまり効果がない。
【０００７】
上記の様に、女性の美を含めた健康管理を行なうにあたって、基礎体温は非常に重要となるために、特許文献１では、ウェブブラウザ機能を有するユーザの携帯電話とインターネットを介して双方向通信される管理センターのサーバに、ユーザから送信される基礎体温及び女性機能に関する健康情報を蓄積するユーザ別健康情報記録部を設けると共に、管理センターにおいて上記一次データを解析して得た解析結果をユーザに提供するシステムにして、システムを利用するための画面はユーザ認証した場合にのみ携帯電話に表示される女性用健康管理支援システムが提案されている。
【０００８】
ここで、特許文献１に記載のシステムでは、［１］ＩＤとパスワードでユーザの認証を行った上で管理センターのサーバに接続して健康情報を送信したり、［２］携帯電話にバイオメトリクスセンサーを設けることでユーザの認証を携帯電話で行った上で管理センターのサーバに接続して健康情報を送信したりするものである。
【０００９】
【特許文献１】特開２００２−３６０５８０号公報
【発明の開示】
【発明が解決しようとする課題】
【００１０】
しかしながら、基礎体温データの測定は、毎日行なうことが求められ、毎日基礎体温の測定を行わなければ、測定データの不正確さを招き、体調管理を正しく行なえなくなる恐れがあることから、できる限り基礎体温データの測定については簡単に行える様にし、無理なく継続できるシステムが強く求められる。即ち、健康情報を送信するたびにＩＤとパスワードの認証が求められる上記の［１］の方法では、システム利用者の手間負担が大きいために基礎体温データの測定を断念してしまう恐れがある。また、携帯電話自体でユーザ認証させる上記［２］の方法の場合には、システム利用者の手間は無いものの、専用機器が必要となり経済的な負担が大きい共に、特定の端末でのみしか対応ができないために、汎用性に乏しいと言わざるを得ない。
【００１１】
本発明は以上の点に鑑みて創案されたものであって、基礎体温の測定についての利用者の手間負担をできる限り軽減し、基礎体温の測定を無理なく継続することができる健康管理支援システムを提供することを目的とするものである。
【課題を解決するための手段】
【００１２】
上記の目的を達成するために、本発明に係る健康管理支援システムでは、クライアント端末と、基礎体温管理サーバにより女性の健康管理を支援する健康管理支援システムにおいて、前記クライアント端末は、基礎体温情報が記載された電子メールを前記基礎体温管理サーバに送信する基礎体温情報送信手段を備え、前記基礎体温管理サーバは、ユーザの電子メールアドレスを登録する電子メールアドレス登録手段と、前記基礎体温情報送信手段により送信された電子メールを受信すると共に、同電子メールの送信元の電子メールアドレスが前記電子メールアドレス登録手段に登録されているユーザの電子メールアドレスと一致した場合に電子メールに記載された基礎体温情報を登録する基礎体温情報登録手段と、前記基礎体温情報登録手段に登録された基礎体温情報に基づいて、月経期、卵胞期、排卵期若しくは黄体期の少なくとも１つの開始タイミングを算出し、算出された開始タイミングに前記電子メールアドレス登録手段に登録されたユーザの電子メールアドレス宛に電子メールを送信する開始タイミング通知手段を備える。
【００１３】
ここで、基礎体温情報送信手段により送信された電子メールを受信すると共に、同電子メールの送信元の電子メールアドレスが電子メールアドレス登録手段に登録されているユーザの電子メールアドレスと一致した場合に電子メールアドレスに記載された基礎体温情報を登録する基礎体温情報登録手段によって、基礎体温の測定について利用者の手間負担をできる限り軽減することができる。なお、後述の様に、開始タイミング通知手段により電子メールが送信されることを考慮すると、ユーザの認証の目的のみのために電子メールの登録を行なうのではなく、そもそも開始タイミング通知手段で電子メールを送信する際に必要となる電子メールを利用してユーザの認証を行っており、新たな登録項目を増加することもない。
また、基礎体温情報登録手段に登録された基礎体温情報に基づいて、月経期、卵胞期、排卵期若しくは黄体期の少なくとも１つの開始タイミングを算出し、算出された開始タイミングに電子メールアドレス登録手段に登録されたユーザの電子メールアドレス宛に電子メールを送信する開始タイミング通知手段によって、基礎体温の推移や基礎体温グラフ等を特段意識することなく、月経期、卵胞期、排卵期若しくは黄体期等の開始タイミングを把握することができるために、極めて容易に基礎体温を利用した健康管理を行なうことができる。
【００１４】
なお、基礎体温情報のみではなく、日記情報をも併記した方がより効果的に、また、より楽しく健康管理を行なうことができると考えられるために、前記クライアント端末は、文書若しくは画像若しくは文書及び画像を日記情報とし、該日記情報が記載若しくは添付若しくは記載及び添付された電子メールを前記基礎体温管理サーバに送信する日記情報送信手段を備え、前記基礎体温管理サーバは、前記日記情報送信手段により送信された電子メールを受信すると共に、同電子メールの送信元の電子メールアドレスが前記電子メールアドレス登録手段に登録されているユーザの電子メールアドレスと一致した場合に電子メールに記載若しくは添付若しくは記載及び添付された日記情報を登録する日記情報登録手段と、該日記情報登録手段に登録された日記情報に基づいて日記を表示する日記表示手段を備える方が好ましい。
【００１５】
ここで、日記情報送信手段により送信された電子メールを受信すると共に、同電子メールの送信元の電子メールアドレスが電子メールアドレス登録手段に登録されているユーザの電子メールアドレスと一致した場合に電子メールに記載若しくは添付若しくは記載及び添付された日記情報を登録する日記情報登録手段によって、日記情報の登録についての利用者の手間負担をできる限り軽減することができる。即ち、日記情報の登録についても、基礎体温情報の登録と同様に、ユーザの認証が必要になると考えられるところ、かかるユーザの認証を電子メールアドレスを利用して行なうことによって、日記情報を登録するたびにＩＤとパスワードの認証等が求められることが無く、利用者の手間負担をできる限り経典することができるのである。
【００１６】
また、本発明に係る健康管理支援システムでは、基礎体温管理サーバにより女性の健康管理を支援する健康管理支援システムにおいて、ユーザの電子メールアドレスを登録する電子メールアドレス登録手段と、クライアント端末により送信される基礎体温情報が記載された電子メールを受信すると共に、同電子メールの送信元の電子メールアドレスが前記電子メールアドレス登録手段に登録されているユーザの電子メールアドレスと一致した場合に電子メールに記載された基礎体温情報を登録する基礎体温情報登録手段と、該基礎体温情報登録手段に登録された基礎体温情報に基づいて、月経期、卵胞期、排卵期若しくは黄体期の少なくとも１つの開始タイミングを算出し、算出された開始タイミングに前記電子メールアドレス登録手段に登録されたユーザの電子メールアドレス宛に電子メールを送信する開始タイミング通知手段を備える。
【００１７】
ここで、クライアント端末により送信される基礎体温情報が記載された電子メールを受信すると共に、同電子メールの送信元の電子メールアドレスが電子メールアドレス登録手段に登録されているユーザの電子メールアドレスと一致した場合に電子メールにされた基礎体温情報を登録する基礎体温情報登録手段によって、基礎体温の測定について利用者の手間負担をできる限り軽減することができる。なお、後述の様に、開始タイミング通知手段により電子メールが送信されることを考慮すると、ユーザの認証の目的のみのために電子メールの登録を行なうのではなく、そもそも開始タイミング通知手段で電子メールを送信する際に必要となる電子メールを利用してユーザの認証を行っており、新たな登録項目を増加することもない。
また、基礎体温登録情報に登録された基礎体温情報に基づいて、月経期、卵胞期、排卵期若しくは黄体期の少なくとも１つの開始タイミングを算出し、算出された開始タイミングに電子メールアドレスに登録されたユーザの電子メールアドレス宛に電子メールを送信する開始タイミング通知手段によって、基礎体温の推移や基礎体温グラフ等を特段意識することなく、月経期、卵胞期、排卵期若しくは黄体期等の開始タイミングを把握することができるために、極めて容易に基礎体温を利用した健康管理を行なうことができる。
【００１８】
なお、基礎体温情報のみではなく、日記情報をも併記した方がより効果的に、また、より楽しく健康管理を行なうことができると考えられるために、文書若しくは画像若しくは文書及び画像を日記情報とし、クライアント端末により送信される前記日記情報が記載若しくは添付若しくは記載及び添付された電子メールを受信すると共に、同電子メールの送信元の電子メールアドレスが前記電子メールアドレス登録手段に登録されているユーザの電子メールアドレスと一致した場合に電子メールに記載若しくは添付若しくは記載及び添付された日記情報を登録する日記情報登録手段と、該日記情報登録手段に登録された日記情報に基づいて日記を表示する日記表示手段を備える方が好ましい。
【００１９】
ここで、文書若しくは画像若しくは文書及び画像を日記情報とし、クライアント端末により送信される日記情報が記載若しくは添付若しくは記載及び添付された電子メールを受信すると共に、同電子メールの送信元の電子メールアドレスが電子メールアドレス登録手段に登録されているユーザの電子メールアドレスと一致した場合に電子メールに記載若しくは添付若しくは記載及び添付された日記情報を登録する日記情報登録手段によって、日記情報の登録についての利用者の手間負担をできる限り軽減することができる。即ち、日記情報の登録についても、基礎体温情報の登録と同様に、ユーザの認証が必要になると考えられるところ、かかるユーザの認証を電子メールアドレスを利用して行なうことによって、日記情報を登録するたびにＩＤとパスワードの認証等が求められることが無く、利用者の手間負担をできる限り経典することができるのである。
【発明の効果】
【００２０】
上記した本発明を適用した健康管理支援システムでは、基礎体温の測定についての利用者の手間負担をできる限り軽減し、基礎体温の測定を無理なく継続することが期待できる。
【発明を実施するための最良の形態】
【００２１】
以下、本発明の実施の形態について図面を参照しながら説明し、本発明の理解に供する。
図１に本発明を適用した健康管理支援システムの一例を説明するためのブロック図を示す。ここで示すクライアント端末（例えば、携帯電話端末）１はインターネット２を介して基礎体温管理サーバ３と相互に通信が可能であるように構成されている。
ここで、クライアント端末と基礎体温管理サーバの通信は、クライアント端末が基礎体温管理サーバにアクセスすることが可能であれば充分であり、必ずしもインターネット接続を利用する必要は無いのであって、ＬＡＮ（Ｌｏｃａｌ  Ａｒｅａ  Ｎｅｔｗｏｒｋ）接続等を利用しても良い。
【００２２】
上記したクライアント端末は、電子メール送信手段４を有しており、この電子メール送信手段は、基礎体温管理サーバに対して電子メールが送信できる様に構成されている。なお、電子メール送信手段は基礎体温情報送信手段の一例であり、日記情報送信手段の一例でもある。
【００２３】
また、上記した基礎体温管理サーバは、電子メールアドレスデータベース５、電子メールアドレス判別手段６、基礎体温情報データベース７、日記情報データベース８、基礎体温グラフ描画手段９、日記情報表示手段１０、開始タイミング算出手段１１、開始タイミング通知手段１２及び基礎体温情報督促手段１３を有している。なお、電子メールアドレスデータベースは電子メールアドレス登録手段の一例であり、基礎体温情報データベースは基礎体温情報登録手段の一例であり、基礎体温グラフ描画手段は基礎体温グラフ表示手段の一例である。
【００２４】
ここで、電子メールアドレスデータベースは、本システムを利用するためにユーザ登録を行ったユーザの電子メールアドレスが登録できる様に構成されており、基礎体温情報データベースは、クライアント端末から送信された電子メールに記載されたユーザの基礎体温情報が登録できる様に構成されており、日記情報データベースは、クライアント端末から送信された電子メールに記載若しくは添付若しくは記載及び添付された日記情報が登録できる様に構成されている。また、基礎体温グラフ描画手段は、基礎体温情報データベースに登録された基礎体温情報に基づいて、基礎体温グラフを描画できる様に構成され、日記情報表示手段は日記情報データベースに登録された日記情報に基づいて日記情報を表示できる様に構成されている。更に、開始タイミング算出手段は、基礎体温情報データベースに登録された基礎体温情報に基づいて、月経期、卵胞期、排卵期及び黄体期を算出することができる様に構成され、開始タイミング通知手段は、開始タイミング算出手段で算出した月経期、卵胞期、排卵期及び黄体期の開始時期にユーザに対して電子メールを送信することができる様に構成されている。また、基礎体温情報督促手段は、基礎体温情報が記載された電子メールがクライアント端末から所定期間送信されない場合（例えば、７日間送信されない場合）に、督促メールを送信することができる様に構成されている。
【００２５】
上記の様に構成された健康管理支援システムを利用しようとするユーザは、先ず、ユーザ登録を行なう。ユーザ登録の際には、［１］ログインＩＤ、［２］パスワード、［３］電子メールアドレス、［４］およその生理周期、［５］メール受信の可否等の入力を行なう。なお、ユーザ登録の際の必須入力項目は電子メールアドレスのみである。
ここで、ログインＩＤとパスワードについては、基礎体温情報の編集を行なう場合や基礎体温グラフの閲覧を行なう場合には本システムにログインする必要があるために、かかる場合のために登録を行なうのである。また、およその生理周期の登録を行なうのは、妊娠しやすい日等をオギノ式計算で算出するにあたっての参考情報とするためである。更に、メール受信の可否についての登録は、ユーザの便宜を図るためである。
【００２６】
ここで、ユーザ登録の際に入力された各情報については、基礎体温管理サーバに保存されることとなるのであるが、その中で必須入力項目であるユーザの電子メールアドレスは、電子メールアドレスデータベースに登録がなされることとなる。ユーザ登録を行って、ユーザの電子メールアドレスが電子メールアドレスデータベースに登録されることで、本システムの利用が可能となる。
【００２７】
さて、本システムを利用する際には、クライアント端末の電子メール送信手段を利用して、ユーザが検温した基礎体温を電子メールの件名に入力して基礎体温管理サーバへ送信を行なう。具体的には、基礎体温が３６．５５℃であった場合には３６５５という件名の電子メールを、基礎体温が３６．６１℃であった場合には３６６１という件名の電子メールを基礎体温管理サーバへ送信する。ここで、ＯＶ（Ｏｖｌａｔｉｏｎ  Ｉｎｄｅｘ）目盛りを使用して基礎体温の管理を行なう場合には、"００"に続けてＯＶ目盛りである２桁の整数を電子メールの件名に入力して基礎体温管理サーバへ送信を行なう。具体的には、基礎体温が３６．５℃（＝ＯＶ２０度）であった場合には、００２０という件名の電子メールを基礎体温管理サーバに送信する。
なお、４桁の整数のうちの１桁目と２桁目が"０"である場合にＯＶ目盛りを使用していると判断するために、例えば、電子メールの件名が３５である場合には３５℃であると判断し、電子メールの件名が００３５である場合にはＯＶ３５度であると判断される。
【００２８】
ここで、クライアント端末の電子メール送信手段を利用して送信する電子メールの本文には、ユーザが日記として記入を行いたい文書を入力する。具体的には、「昨日に引き続いて生理痛がひどい。彼にやつあたりしてしまった。反省。」という本文の電子メールや、「ここのところ便秘気味。そろそろ生理かな」という本文の電子メールを基礎体温管理サーバに送信する。なお、日記を画像付きで記入したい場合には、画像ファイル（例えば、携帯電話のカメラで撮影した写真画像ファイル）を電子メールに添付して基礎体温管理サーバに送信する。
【００２９】
クライアント端末の電子メール送信手段から送信された電子メールを受信した基礎体温管理サーバでは、クライアント端末から送信された電子メールの送信元アドレスがユーザの電子メールアドレスであるか否かを確認する。具体的には、基礎体温管理サーバの電子メールアドレス判別手段で、電子メールの送信元アドレスが、電子メールアドレスデータベースに登録されている電子メールアドレスであるか否かの確認を行なう。
【００３０】
電子メールアドレス判別手段による判別の結果、送信元の電子メールアドレスがユーザの電子メールアドレスであった場合には、電子メールの件名に記載された基礎体温情報を基礎体温情報データベースに登録し、電子メールの本文に記載された文書及び電子メールに添付された画像を日記情報データベースに登録する。更に、日記情報データベースには電子メールが送信された日時についても記載を行う。
なお、電子メールの本文に何らの記載がなされておらず、電子メールに何らの画像をも添付されていない場合には、日記情報データベースに登録される日記情報は電子メールが送信された日時のみとなる。
【００３１】
上記の作業を繰り返して行なうことによって基礎体温情報データベースに基礎体温情報が蓄積されるのであるが、蓄積された基礎体温情報に基づいて、基礎体温管理サーバの基礎体温グラフ描画手段によって、図２で示す様な基礎体温グラフを描画することができ、ユーザは基礎体温管理サーバにアクセスすることで、かかる基礎体温グラフを閲覧することができる。具体的には、ユーザが基礎体温グラフを閲覧したいと思った場合には、クライアント端末を用いてインターネットを通じて基礎体温管理サーバにアクセスを行い、ユーザ登録時に設定したログインＩＤとパスワードを使用してユーザの認証を行った上でログインを行って、ユーザ自身の基礎体温グラフの確認を行なうことができる。
【００３２】
また、基礎体温情報データベースに蓄積された基礎体温情報に基づいて、基礎体温管理サーバの開始タイミング算出手段によって、月経期、卵胞期、排卵期及び黄体期の各期間が算出されることとなる。そして、各期間の開始タイミングには、基礎体温管理サーバの開始タイミング通知手段からユーザに向けて各期間の開始タイミングである旨の電子メールが送信される様に構成されている。なお、開始タイミング通知手段から電子メールが送信されるのは、ユーザ登録の際にメールの受信を希望するとしたユーザのみである。
【００３３】
ここで、本実施例では、基礎体温情報に基づいて月経期、卵胞期、排卵期及び黄体期の４つの期間が算出され、４つの期間の開始タイミングが通知されるシステムを例に挙げて説明を行っているが、上述の様に、それぞれの期間にはそれぞれの意味合いがあり、必ずしも４つの期間の全ての開始タイミングを把握しなければ健康管理を行なうことができないというものではなく、いずれか１つの期間の開始タイミングを把握することによっても充分に健康管理を行なうことができ得ることから、基礎体温情報に基づいて少なくとも１つの期間を算出し、算出した期間の開始タイミングを通知するシステムであっても良い。
【００３４】
なお、体調管理を充分に行なうためには、基礎体温データの測定をできる限り毎日行なうことが好ましいために、クライアント端末から基礎体温情報が記載された電子メールが所定の期間（例えば、７日間）送信されない場合には、基礎体温管理サーバの基礎体温情報督促手段によって、基礎体温情報が送信されていない旨の電子メールが送信されることとなる。
【００３５】
また、日記情報データベースに蓄積された日記情報に基づいて、基礎体温管理サーバの日記情報表示手段によって日記情報を表示することができ、ユーザは基礎体温管理サーバにアクセスすることによって、かかる日記情報を閲覧することができる。具体的には、ユーザが日記情報を閲覧したいと思った場合には、クライアント端末を用いてインターネットを通じて基礎体温管理サーバにアクセスを行い、ユーザ登録時に設定したログインＩＤとパスワードを使用してユーザ認証を行った上でログインを行って、ユーザ自身の日記情報の確認を行なうことができる。
【００３６】
本発明を適用した健康管理支援システムでは、ユーザ登録の際に登録した電子メールアドレスを用いて、基礎体温情報の送信元がユーザであるか否かを判別することとしており、基礎体温情報データベースに基礎体温情報を蓄積するにあたって、その都度ログイン作業等を行なう必要が無いために、ユーザの手間負担を最低限に抑えることができ、基礎体温の測定・記録を無理なく継続することができる。
【００３７】
また、電子メールの件名に記載した数字が基礎体温情報として認識され、電子メールの本文に記載した文書や電子メールに添付した画像が日記情報として認識されるために、基礎体温情報や日記情報を基礎体温管理サーバに登録するための電子メールの作成も非常に容易であり、かかる点においてもユーザの手間負担の軽減を図ることができる。
【００３８】
また、本システムでは、単に基礎体温情報を管理するのみならず、日記情報をも合わせて管理を行なうことによって、基礎体温情報の測定・記録そのものにユーザが面白さを感じることを期待することができ、楽しみながら基礎体温情報の測定・記録を行なうことができるために無理なく継続することができる。
【００３９】
更に、本システムでは、月経期、卵胞期、排卵期及び黄体期の開始タイミングに自動的にメールが配信されるために、基礎体温情報を記載した電子メールを基礎体温管理サーバに送信することのみで、各期間の開始タイミングについて特に意図していなかったとしても各期間の開始タイミングを把握することができ、妊娠やダイエット、肌の手入れ等々に重要な情報を得ることができる。なお、妊娠については女性のみが意識しているのみではなく、パートナーの協力が必要となるところ、基礎体温管理サーバから送信される電子メールアドレスの配信先として、ユーザ自身（女性）の電子メールアドレスのみならず、ユーザのパートナー（ユーザの彼氏やユーザの夫）の電子メールアドレスをも併せて登録することで、パートナーに向けても電子メールが配信されることとなる。
【図面の簡単な説明】
【００４０】
【図１】本発明を適用した健康管理支援システムの一例を説明するためのブロック図である。
【図２】基礎体温グラフを説明するための図である。
【符号の説明】
【００４１】
１    クライアント端末
２    インターネット
３    基礎体温管理サーバ
４    電子メール送信手段
５    電子メールアドレスデータベース
６    電子メールアドレス判別手段
７    基礎体温情報データベース
８    日記情報データベース
９    基礎体温グラフ描画手段
１０    日記情報表示手段
１１    開始タイミング算出手段
１２    開始タイミング通知手段
１３    基礎体温情報督促手段
【図１】
2008276670.tif 000003
【図２】
2008276670.tif 000004